(57)【要約】  無線ネットワークにおいてハンドオーバ要求を処理する方法及びシステムである。当該方法は第１基地局が第１メッセージを移動局に送信することを含む。前記第１メッセージは第１ハンドオーバ要求を含む。また、当該方法は前記第１基地局が前記移動局から第２メッセージを受信することを含む。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該方法は、前記第１基地局が前記第２メッセージに関する情報を処理し、かつ、少なくとも前記第２メッセージに関する情報に基づいて、前記第２メッセージが前記第３ハンドオーバ要求に応答するために前記移動局から送信されたものであるかどうかを決定することを含む。
2009500972.tif 000002
【特許請求の範囲】
【請求項１】
無線ネットワークにおいてハンドオーバ要求を処理する方法であって、
第１基地局が、第１ハンドオーバ要求を含む第１メッセージを移動局に送信することと、
前記第１基地局が前記移動局から第２ハンドオーバ要求を含む第２メッセージを受信し、前記第２ハンドオーバ要求は、前記第２メッセージが第３ハンドオーバ要求に応答するために前記移動局から送信されたものであるかどうかを指示する指示子を含むことと、
前記第１基地局が前記第２メッセージに関する情報を処理することと、
少なくとも前記第２メッセージに関する情報に基づいて、前記第２メッセージが前記第３ハンドオーバ要求に応答するために前記移動局から送信されたものであるかどうかを決定することと、
前記第２メッセージが前記第３ハンドオーバ要求に応答するために前記移動局から送信されたものであると決定された場合、第１ハンドオーバ応答を含む第３メッセージを前記第２メッセージに関する前記移動局に送信することと、
を含み、
ここで、前記第１ハンドオーバ応答は、少なくとも１つの第２基地局に関する情報を含み、前記第２基地局は、前記移動局の要求された、前記第１基地局からのハンドオーバ先である方法。
【請求項２】
前記指示子は、異なる数値と等しいことができる指示変数を含む請求項１に記載の方法。
【請求項３】
前記指示変数が第１数値と等しい場合、前記第２メッセージが前記第３ハンドオーバ要求に応答するために前記移動局から送信されたものではないことになり、
前記指示変数が第２数値と等しい場合、前記第２メッセージが前記第３ハンドオーバ要求に応答するために前記移動局から送信されたものであることになる請求項２に記載の方法。
【請求項４】
前記第２メッセージが前記第３ハンドオーバ要求に応答するために前記移動局から送信されたものではないと決定された場合、ハンドオーバ応答を前記第２メッセージに関する前記移動局に送信しないこと、
をさらに含む請求項１に記載の方法。
【請求項５】
前記第３ハンドオーバ要求が、前記第１ハンドオーバ要求と同じである請求項１に記載の方法。
【請求項６】
前記移動局が、前記第１ハンドオーバ応答を含む前記第３メッセージを受信すること、
をさらに含む請求項１に記載の方法。
【請求項７】
前記移動局が、ハンドオーバ確認を含む第４メッセージを前記第１基地局に送信すること、
をさらに含む請求項６に記載の方法。
【請求項８】
前記ハンドオーバ確認は、前記移動局が前記第１基地局からの前記第１ハンドオーバ応答を受け入れるかまたは拒絶するかを指示する請求項７に記載の方法。
【請求項９】
前記移動局が前記ハンドオーバ要求を受け入れた場合、前記移動局を前記第１基地局から前記少なくとも１つの第２基地局のうち１つにハンドオーバすること、
をさらに含む請求項８に記載の方法。
【請求項１０】
前記第１基地局が前記移動局から第４ハンドオーバ要求を含む第４メッセージを受信し、前記第４ハンドオーバ要求は、前記第４メッセージが前記第２ハンドオーバ応答に応答するために前記移動局から送信されたものであるかどうかを指示する指示子を含むこと、
をさらに含む請求項６に記載の方法。
【請求項１１】
前記第２ハンドオーバ応答が、前記第１ハンドオーバ応答と同じである請求項１０に記載の方法。
【請求項１２】
無線ネットワークに用いられる基地局であって、ハンドオーバ要求を処理する１つまたは複数の部材を含み、
前記１つまたは複数の部材は、
第１ハンドオーバ要求を含む第１メッセージを移動局に送信し、
第２ハンドオーバ要求を含む第２メッセージを前記移動局から受信し、前記第２ハンドオーバ要求は前記第２メッセージが第３ハンドオーバ要求に応答するために前記移動局から送信されたものであるかどうかを指示する指示子を含み、
前記第２メッセージに関する情報を処理し、
少なくとも前記第２メッセージに関する情報に基づいて、前記第２メッセージが前記第３ハンドオーバ要求に応答するために前記移動局から送信されたものであるかどうかを決定し、
前記第２メッセージが前記第３ハンドオーバ要求に応答するために前記移動局から送信されたものであると決定された場合、ハンドオーバ応答を含む第３メッセージを前記第２メッセージに関する前記移動局に送信する、
ように構成され、
ここで、前記ハンドオーバ応答は、少なくとも１つの他の基地局に関する情報を含み、前記他の基地局は、前記移動局の要求された、前記基地局からのハンドオーバ先である基地局。
【請求項１３】
前記指示子は、異なる数値と等しいことができる指示変数を含む請求項１２に記載の基地局。
【請求項１４】
前記指示変数が第１数値と等しい場合、前記第２メッセージが前記第３ハンドオーバ要求に応答するために前記移動局から送信されたものではないことになり、
前記指示変数が第２数値と等しい場合、前記第２メッセージが前記第３ハンドオーバ要求に応答するために前記移動局から送信されたものであることになる請求項１３に記載の基地局。
【請求項１５】
前記１つまたは複数の部材はさらに、前記第２メッセージが前記第３ハンドオーバ要求に応答するために前記移動局から送信されたものではないと決定された場合、ハンドオーバ応答を前記第２メッセージに関する前記移動局に送信しないように構成される請求項１２に記載の基地局。
【請求項１６】
前記第３ハンドオーバ要求が、前記第１ハンドオーバ要求と同じである請求項１２に記載の基地局。
【請求項１７】
無線ネットワークにおいてハンドオーバ要求を処理する方法であって、
移動局が第１基地局から第１ハンドオーバ要求を含む第１メッセージを受信することと、
前記移動局が、第２ハンドオーバ要求を含む第２メッセージを前記第１基地局に送信し、前記第２ハンドオーバ要求は前記第２メッセージが第３ハンドオーバ要求に応答するために前記移動局から送信されたものであるかどうかを指示する指示子を含むことと、
前記移動局が、前記第２メッセージに応答するための、ハンドオーバ応答を含む前記第３メッセージを受信することと、
を含み、
ここで、前記ハンドオーバ応答は、少なくとも１つの第２基地局に関する情報を含み、前記第２基地局は、前記移動局の要求された、前記第１基地局からのハンドオーバ先である方法。
【請求項１８】
前記指示子は、異なる数値と等しいことができる指示変数を含む請求項１７に記載の方法。
【請求項１９】
前記指示変数が第１数値と等しい場合、前記第２メッセージが前記第３ハンドオーバ要求に応答するために前記移動局から送信されたものではないことになり、前記指示変数が第２数値と等しい場合、前記第２メッセージが前記第３ハンドオーバ要求に応答するために前記移動局から送信されたものであることになる請求項１８に記載の方法。
【請求項２０】
前記第３ハンドオーバ要求が、前記第１ハンドオーバ要求と同じである請求項１７に記載の方法。
【請求項２１】
無線ネットワークに用いられる移動局であって、ハンドオーバ要求を処理する１つまたは複数の部材を含み、
前記１つまたは複数の部材は、
第１基地局から第１ハンドオーバ要求を含む第１メッセージを受信し、
第２ハンドオーバ要求を含む第２メッセージを前記第１基地局に送信し、前記第２ハンドオーバ要求は前記第２メッセージが第３ハンドオーバ要求に応答するために前記移動局から送信されたものであるかどうかを指示する指示子を含み、
前記第２メッセージに応答するための、ハンドオーバ応答を含む第３メッセージを受信する、
ように構成され、
ここで、前記ハンドオーバ応答は、少なくとも１つの第２基地局に関する情報を含み、前記第２基地局、前記移動局の要求された、第１基地局からのハンドオーバ先である移動局。
【請求項２２】
前記指示子は、異なる数値と等しいことができる指示変数を含む請求項２１に記載の移動局。
【請求項２３】
前記指示変数が第１数値と等しい場合、前記第２メッセージが前記第３ハンドオーバ要求に応答するために前記移動局から送信されたものではないことになり、前記指示変数が第２数値と等しい場合、前記第２メッセージが前記第３ハンドオーバ要求に応答するために前記移動局から送信されたものであることになる請求項２２に記載の移動局。
【請求項２４】
前記第３ハンドオーバ要求が、前記第１ハンドオーバ要求と同じである請求項２１に記載の移動局。
【請求項２５】
無線ネットワークにおいてハンドオーバ要求を処理する方法であって、
移動局が、第１ハンドオーバ要求を含む第１メッセージを基地局に送信することと、
前記移動局が前記基地局からハンドオーバ応答を含む第２メッセージを受信し、前記ハンドオーバ応答は前記基地局が前記第１ハンドオーバ要求を拒絶したかどうかを指示する第１指示子を含むことと、
少なくとも前記第１指示子に関する情報を処理することと、
少なくとも前記第１指示子に関する情報に基づいて、前記第１ハンドオーバ要求が前記基地局により拒絶されたかどうかを決定することと、
を含み、
ここで、前記第１指示子は少なくとも第１数値または第２数値と等しいことができる指示変数を含み、
前記指示変数が前記第１数値と等しい場合、前記基地局が前記第１ハンドオーバ要求を拒絶したことになる方法。
【請求項２６】
前記ハンドオーバ応答は、前記第１ハンドオーバ要求が前記基地局により拒絶された場合、前記移動局が第２ハンドオーバ要求を前記基地局に送信する前に待つべき時間長を指示する第２指示子を含む請求項２５に記載の方法。
【請求項２７】
前記第１指示子は、前記基地局が前記第１ハンドオーバ要求を拒絶した１つまたは複数の理由をさらに指示する請求項２５に記載の方法。
【請求項２８】
前記無線ネットワークが、ＷｉＭＡＸネットワークである請求項２５に記載の方法。
【請求項２９】
無線ネットワークに用いられる移動局であって、ハンドオーバ要求を処理する１つまたは複数の部材を含み、
前記１つまたは複数の部材は、
第１ハンドオーバ要求を含む第１メッセージを基地局に送信し、
前記基地局からハンドオーバ応答を含む第２メッセージを受信し、前記ハンドオーバ応答は前記基地局が  前記第１ハンドオーバ要求を拒絶したかどうかを指示する第１指示子を含み、
少なくとも前記第１指示子に関する情報を処理し、
少なくとも前記第１指示子に関する情報に基づいて、前記第１ハンドオーバ要求が前記基地局により拒絶されたかどうかを決定する、
ように構成され、
ここで、前記第１指示子は、少なくとも第１数値または第２数値と等しいことができる指示変数を含み、
前記指示変数が前記第１数値と等しい場合、前記基地局が前記第１ハンドオーバ要求を拒絶したことになる移動局。
【請求項３０】
前記ハンドオーバ応答は、前記第１ハンドオーバ要求が前記基地局により拒絶された場合、前記移動局が第２ハンドオーバ要求を前記基地局に送信する前に待つべき時間長を指示する第２指示子を含む請求項２９に記載の移動局。
【請求項３１】
前記第１指示子は前記基地局が、前記第１ハンドオーバ要求を拒絶した１つまたは複数の理由をさらに指示する請求項２９に記載の移動局。
【請求項３２】
前記無線ネットワークが、ＷｉＭＡＸネットワークである請求項２９に記載の移動局。
【発明の詳細な説明】
【技術分野】
【０００１】
本発明は電信技術に関する。特に、本発明は、無線ネットワークにおけるハンドオーバネゴシエーションの方法及びシステムを提供した。本発明は、基地局または移動局により開始されるハンドオーバを例とするが、説明すべきは、本発明の応用範囲がさらに広がっていることである。
【背景技術】
【０００２】
近年、無線通信技術は発展している。無線ネットワークは、通常、基地局と移動局とを含む。一例として、移動局（ＭＳ）は、非特定の地理的位置で移動または静止のときに用いられるものであり、例えば、移動通信デバイスである。他の例として、移動局は携帯電話である。他の例として、基地局（ＢＳ）は、１つまたは複数の移動局のために接続、管理及び制御を提供するできる一組の機器である。通常、移動局は、基地局により提供されたエアインターフェースを介して他のデバイスと通信する。例えば、エアインターフェースは、基地局と移動局との間のインターフェースである。通常、エアインターフェースは、移動局ハンドオーバ（ＨＯ：ｈａｎｄｏｖｅｒ）と呼ばれる過程により変更されることができる。ハンドオーバにおいて、移動局は、例えば、ある基地局により提供されたエアインターフェースから、他の基地局により提供された他のエアインターフェースに移ることができる。移動局ハンドオーバは、例えば移動局の移動、接続品質の変更、及び/又はネットワーク配置の変更等の多種の原因で、移動局または基地局により開始されることができる。  
【０００３】
図１は簡略化された従来の無線ネットワークを示す。ネットワーク１００は、基地局１１０、１１２及び１１４、並びに移動局１２０を含む。基地局１１０、１１２及び１１４のそれぞれは有線ネットワーク１３０に接続される。例えば、有線ネットワーク１３０はインターネットプロトコル（ＩＰ）を採用する。移動局１２０はエアインターフェースを介して基地局１１０と通信する。移動局１２０のハンドオーバは基地局１１０または移動局１２０により開始されることができる。  
【０００４】
図２と図３は、従来の無線ネットワークにおいて基地局により開始される移動局ハンドオーバを示す簡略図である。ネットワーク１００において、基地局１１０がハンドオーバを開始するように要求メッセージを移動局１２０に送信する。要求には移動局１２０のハンドオーバ可能な基地局のリストが含まれる。移動局１２０は要求されたハンドオーバが適当であることを決定すると、移動局１２０がリストから１つの基地局を選択して確認メッセージを基地局１１０に返す。例えば、確認メッセージによって、移動局１２０は基地局１１２が選択されたことも基地局１１０に通知する。そして、移動局１２０は基地局１１２にハンドオーバされる。  
【０００５】
図４は従来の無線ネットワークにおいて移動局により開始される移動局ハンドオーバを示す簡略図である。ネットワーク１００において、移動局１２０がハンドオーバを開始するように要求メッセージを基地局１１０に送信する。応答として、基地局１１０は応答メッセージを移動局１２０に送信する。例えば、応答メッセージは移動局１２０のハンドオーバ可能な基地局のリストも含む。移動局１２０は当該ハンドオーバが適当であることを決定すると、移動局１２０がリストから１つの基地局を選択して確認メッセージを基地局１１０に送信する。例えば、確認メッセージによって、移動局１２０は基地局１１２が選択されたことも基地局１１０に通知する。そして、移動局１２０は基地局１１２にハンドオーバされる。
【０００６】
図２〜図４に示すように、ハンドオーバの過程において通常、移動局と基地局との間で管理メッセージがやり取りされる。例えば、管理メッセージは、
ハンドオーバを開始するように基地局から移動局へ送信する要求メッセージ「ＭＯＢ＿ＢＳＨＯ−ＲＥＱ」と、
ハンドオーバを開始するように移動局から基地局へ送信する要求メッセージ「ＭＯＢ＿ＭＳＨＯ−ＲＥＱ」と、
ＭＯＢ＿ＭＳＨＯ−ＲＥＱの受信を確認するように基地局から移動局へ送信する応答メッセージ「ＭＯＢ＿ＢＳＨＯ−ＲＳＰ」と、移動局がもうすぐハンドオーバ、ハンドオーバ取消、またはハンドオーバ拒絶を行うことを示すといった、移動局から基地局へ送信する確認メッセージ「ＭＯＢ＿ＨＯ−ＩＮＤ」と、を含む。
【０００７】
図５と図６はそれぞれ、従来のハンドオーバの要求メッセージと応答メッセージの一部の簡略化されたフォーマットを示す。図５と図６に示すように、要求メッセージは、ＭＯＢ＿ＢＳＨＯ−ＲＥＱと呼ばれ、応答メッセージは、ＭＯＢ＿ＢＳＨＯ−ＲＳＰと呼ばれる。一例として、基地局１１０は、ハンドオーバを開始するように、ＭＯＢ＿ＢＳＨＯ−ＲＥＱメッセージを移動局１２０に送信する。他の例として、基地局１１０は、ＭＯＢ＿ＭＳＨＯ−ＲＥＱと呼ばれる他の要求メッセージの受信を確認するように、ＭＯＢ＿ＢＳＨＯ−ＲＳＰメッセージを移動局１２０に送信する。
【発明の開示】
【発明が解決しようとする課題】
【０００８】
ハンドオーバに成功するために、移動局及びそれに対応する基地局は通常、ハンドオーバ配置について合意する必要がある。例えば、ハンドオーバ配置は、移動局のハンドオーバ可能な基地局のリスト、及び/又は動作時間を含む。ハンドオーバが通常に移動局または基地局により開始されるので、初期のハンドオーバ要求は通常、開始エンティティにより処理された現在の情報に基づいて生成される。初期のハンドオーバ要求は受信エンティティがハンドオーバを行うことに適しない可能性がある。例えば、移動局が移動しており、このように、基地局によりハンドオーバ要求の生成に用いられた情報は、移動局がハンドオーバ要求を受信する時の状況を反映しない可能性がある。そこで、通常、ハンドオーバネゴシエーションが実行される。
【０００９】
従って、ハンドオーバネゴシエーションの技術を改善することは極めて必要である。
【課題を解決するための手段】
【００１０】
本発明は無線ネットワークにおけるハンドオーバネゴシエーションの方法及びシステムを提供する。本発明は基地局または移動局により開始されるハンドオーバを例とするが、説明すべきは、本発明の実際の応用範囲がさらに広がっていることである。  
【００１１】
本発明のある実施例によれば、無線ネットワークにおいてハンドオーバ要求を処理する方法は、第１基地局が第１メッセージを移動局に送信することを含む。前記第１メッセージは第１ハンドオーバ要求を含む。また、当該方法は前記第１基地局が前記移動局から第２メッセージを受信することを含む。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該方法は、前記第１基地局が前記第２メッセージに関する情報を処理し、かつ、少なくとも前記第２メッセージに関する情報に基づいて、前記第２メッセージが前記第３ハンドオーバ要求に応答するために前記移動局から送信されたものであるかどうかを決定することを含む。当該方法は、前記第２メッセージが前記第３ハンドオーバ要求に応答するために前記移動局から送信されたものであると決定された場合、前記第２メッセージに関する移動局に第３メッセージを送信することをさらに含む。前記第３メッセージは第１ハンドオーバ応答を含む。前記第１ハンドオーバ応答は、少なくとも１つの第２基地局に関する情報を含み、前記第２基地局は、前記移動局の要求された、前記第１基地局からのハンドオーバ先である。  
【００１２】
本発明の他の実施例によれば、無線ネットワークにおける基地局はハンドオーバ要求を処理する１つまたは複数の部材を含む。当該１つまたは複数の部材は第１メッセージを移動局に送信するように構成される。前記第１メッセージは第１ハンドオーバ要求を含む。また、当該１つまたは複数の部材はさらに前記移動局からの第２メッセージを受信するように構成される。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該１つまたは複数の部材はさらに、前記第２メッセージに関する情報を処理し、かつ、少なくとも前記第２メッセージに関する情報に基づいて、前記第２メッセージが前記第３ハンドオーバ要求に応答するために前記移動局から送信されたものであるかどうかを決定するように構成される。また、当該１つまたは複数の部材はさらに、前記第２メッセージが前記第３ハンドオーバ要求に応答するために前記移動局から送信されたものであると決定された場合、前記第２メッセージに関する移動局に第３メッセージを送信するように構成される。前記第３メッセージはハンドオーバ応答を含む。前記ハンドオーバ応答は、少なくとも１つの他の基地局に関する情報を含み、前記他の基地局は、前記移動局の要求された、現在の基地局からのハンドオーバ先である。  
【００１３】
本発明の他の実施例によれば、無線ネットワークにおいてハンドオーバ要求を処理する方法は、移動局が第１基地局から第１メッセージを受信することを含む。前記第１メッセージは第１ハンドオーバ要求を含む。また、当該方法は、前記移動局が第２メッセージを前記第１基地局に送信することを含む。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該方法は、前記移動局が前記第２メッセージに応答するための第３メッセージを受信することを含む。前記第３メッセージはハンドオーバ応答を含む。前記ハンドオーバ応答は、少なくとも１つの第２基地局に関する情報を含み、前記第２基地局は、前記移動局の要求された、前記第１基地局からのハンドオーバ先である。  
【００１４】
本発明の他の実施例によれば、無線ネットワークにおける移動局は、ハンドオーバ要求を処理する１つまたは複数の部材を含む。当該１つまたは複数の部材は、第１基地局から第１メッセージを受信するように構成される。前記第１メッセージは第１ハンドオーバ要求を含む。また、当該１つまたは複数の部材は、第２メッセージを前記第１基地局に送信するように構成される。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該１つまたは複数の部材はさらに、前記第２メッセージに応答するための第３メッセージを受信するように構成される。前記第３メッセージはハンドオーバ応答を含む。前記ハンドオーバ応答は、少なくとも１つの第２基地局に関する情報を含み、前記第２基地局は、前記移動局の要求された、前記第１基地局からのハンドオーバ先である。  
【００１５】
本発明の他の実施例によれば、無線ネットワークにおいてハンドオーバ要求を処理する方法は、移動局が第１メッセージを基地局に送信することを含む。前記第１メッセージは第１ハンドオーバ要求を含む。また、当該方法は、前記移動局が前記基地局から第２メッセージを受信することを含む。前記第２メッセージはハンドオーバ応答を含み、前記ハンドオーバ応答は、前記基地局が前記第１ハンドオーバ要求を拒絶したかどうかを指示する第１指示子を含む。また、当該方法は、少なくとも前記第１指示子に関する情報を処理し、かつ、少なくとも前記第１指示子に関する情報に基づいて、前記基地局が前記第１ハンドオーバ要求を拒絶したかどうかを決定することを含む。前記第１指示子は、少なくとも第１数値または第２数値と等しいことができる指示変数を含む。前記指示変数が前記第１数値と等しい場合、前記基地局が前記第１ハンドオーバ要求を拒絶したことになる。  
【００１６】
本発明の他の実施例によれば、無線ネットワークにおける移動局は、ハンドオーバ要求を処理する１つまたは複数の部材を含む。当該１つまたは複数の部材は、第１メッセージを基地局に送信するように構成される。前記第１メッセージは第１ハンドオーバ要求を含む。また、当該１つまたは複数の部材はさらに前記基地局から第２メッセージを受信するように構成される。前記第２メッセージはハンドオーバ応答を含み、前記ハンドオーバ応答は、前記基地局が前記第１ハンドオーバ要求を拒絶したかどうかを指示する第１指示子を含む。また、当該１つまたは複数の部材は、少なくとも前記第１指示子に関する情報を処理し、かつ、少なくとも前記第１指示子に関する情報に基づいて、前記基地局が前記第１ハンドオーバ要求を拒絶したかどうかを決定するように構成される。前記第１指示子は、少なくとも第１数値または第２数値と等しいことができる指示変数を含む。前記指示変数が前記第１数値と等しい場合、前記基地局が前記第１ハンドオーバ要求を拒絶したことになる。
【発明の効果】
【００１７】
本発明によれば、多くの従来の技術から実現できない効果が得られる。本発明の一部の実施例では、ハンドオーバネゴシエーション過程を最適化したりすることにより、ハンドオーバ過程を改善している。本発明の一部の実施例では、移動局から基地局への要求メッセージを提供しており、当該要求メッセージは当該要求メッセージが基地局からの他のハンドオーバ要求に応答するために伝送されたものであるかどうかを指示する。例えば、このような指示によっては、やり取り必要のメッセージ数を減少でき、かつハンドオーバネゴシエーション過程を簡略化できる。本発明の一部の実施例によってはハンドオーバネゴシエーション過程を短縮することができる。本発明の一部の実施例によってはハンドオーバネゴシエーションにおけるミスコミュニケーションを減少することができる。本発明の一部の実施例によっては、過程を簡略化することができ、かつ、移動局からのハンドオーバ要求を拒絶することにより基地局の帯域幅を節約することができる。本発明の一部の実施例では、移動局からのハンドオーバ要求に応答する基地局からのハンドオーバ応答において、拒絶モードと拒絶理由コードを採用している。
【発明を実施するための最良の形態】
【００１８】
異なる実施例によれば、一種または多種の有益な効果を達することができる。本発明の目的、解決手段及びメリットをさらに明確にするように、以下、図面を参照しながら本発明についてさらに詳しく説明する。
【００１９】
ある従来のハンドオーバ技術において、移動局は通常、基地局からハンドオーバ要求またはハンドオーバ応答を受信してから、移動局の状況に基づいてハンドオーバを実行するかどうかを決める。一例として、ハンドオーバ要求は、ＭＯＢ＿ＢＳＨＯ−ＲＥＱメッセージである。他の例として、ハンドオーバ応答は、ＭＯＢ＿ＢＳＨＯ−ＲＳＰメッセージである。ハンドオーバ要求またはハンドオーバ応答におけるハンドオーバ配置が移動局の需要を満たしない場合、移動局はハンドオーバ要求またはハンドオーバ応答を拒絶してもよい。一例として、ハンドオーバ配置は、移動局のハンドオーバ可能な基地局のリスト、及び/又はＨＭＡＣのような安全キーを含む。他の例として、移動局による拒絶は、移動局がハンドオーバを拒絶することを指示する確認メッセージの形で表される。他の例として、確認メッセージはＭＯＢ＿ＨＯ−ＩＮＤメッセージである。通常、従来の確認メッセージは、いかなる拒絶理由、及び/又は移動局により期待される基地局のいかなる動作を指示しない。そこで、確認メッセージを受信した後、基地局は通常に他の動作を決定することが困難である。従って、基地局は通常に次のハンドオーバの試みを有効に行うことができない。
【００２０】
例えば、移動局が基地局からのハンドオーバ要求を拒絶した後、基地局がハンドオーバを再ネゴシエーションするための従来のメカニズムは３種ある。これらの従来のメカニズムに関する問題はそれぞれ図７、図８及び図９のように示される。  
【００２１】
図７は冗長なハンドオーバネゴシエーションを示す簡略図である。図７に示すように、基地局は移動局からハンドオーバ要求に対する拒絶を受信する。応答として、基地局は移動局のハンドオーバ可能な基地局のリストを再配置して、再配置後の基地局のリストを含むハンドオーバ応答を再送する。例えば、ハンドオーバ要求、ハンドオーバ拒絶及びハンドオーバ応答は、それぞれＭＯＢ＿ＢＳＨＯ−ＲＥＱ、ＭＯＢ＿ＨＯ−ＩＮＤ及びＭＯＢ＿ＢＳＨＯ−ＲＳＰの形で表される。この前のハンドオーバに対する拒絶は基地局のリストと関係がないと、移動局がハンドオーバを再度拒絶する可能性がある。従って、ハンドオーバの発生は、長い時間を要する可能性があり、ひいては完全に発生しない可能性がある。  
【００２２】
図８は不必要メッセージのやり取りを示す簡略図である。図８に示すように、ハンドオーバを拒絶した後、移動局は好ましいハンドオーバ配置を有するハンドオーバ要求を送信する。しかし、移動局からのハンドオーバ拒絶を受信した後、移動局からのハンドオーバ要求を受信することが可能であるかどうかを基地局が知らないので、基地局は移動局からのハンドオーバ要求を受信する前に、ハンドオーバ応答を移動局に送信する。例えば、基地局からのハンドオーバ要求、ハンドオーバ拒絶、移動局からのハンドオーバ要求、及びハンドオーバ応答は、それぞれＭＯＢ＿ＢＳＨＯ−ＲＥＱ、ＭＯＢ＿ＨＯ−ＩＮＤ、ＭＯＢ＿ＭＳＨＯ−ＲＥＱ、ＭＯＢ＿ＢＳＨＯ−ＲＳＰの形で表される。その結果、基地局から受信したハンドオーバ応答が移動局により再度拒絶される可能性がある。従って、ハンドオーバ応答はネゴシエーション過程の複雑化につながり、かつ、それによるメッセージやり取りは通信帯域幅の浪費につながる。  
【００２３】
図９はハンドオーバネゴシエーションにおけるミスコミュニケーションを示す簡略図である。図９に示すように、移動局は、基地局から受信したハンドオーバ要求に応答するためのハンドオーバ要求を送信する。移動局からのハンドオーバ要求は、基地局からのハンドオーバ要求に対する拒絶とされてもよい。例えば、基地局からのハンドオーバ要求と移動局からのハンドオーバ要求は、それぞれＭＯＢ＿ＢＳＨＯ−ＲＥＱとＭＯＢ＿ＭＳＨＯ−ＲＥＱの形で表される。応答として、競争状態を防止するために、基地局が移動局からのハンドオーバ要求を無視する可能性がある。その原因としては、基地局がもうハンドオーバ要求を移動局に送信したためである。従って、基地局と移動局との間のミスコミュニケーションで、ハンドオーバネゴシエーションが失敗する可能性がある。  
【００２４】
また、移動局により開始されるハンドオーバについて、一部の従来技術に他の問題が存在する可能性がある。基地局は、移動局から受信したハンドオーバ要求を多種の理由に基づいて拒絶する能力を具備すべきである。例えば、現在のサービング基地局の以外に移動局に適する候補基地局がないので、拒絶が送信される。しかし、基地局からの、ある従来の応答メッセージにおいて通常に拒絶モードがない。例えば、移動局からのハンドオーバ要求と基地局からのハンドオーバ応答は、それぞれＭＯＢ＿ＭＳＨＯ−ＲＥＱとＭＯＢ＿ＢＳＨＯ−ＲＳＰの形で表される。拒絶を指示するために、基地局は通常、移動局のハンドオーバ可能なゼロ個の基地局のリストを含むＭＯＢ＿ＢＳＨＯ−ＲＳＰメッセージを送信する必要がある。しかし、ゼロ個の基地局のリストに基づくこのメカニズムには、問題が存在する。  
【００２５】
一例として、ＭＯＢ＿ＢＳＨＯ−ＲＳＰにおける複数のフィールド（ｆｉｅｌｄ）は通常、ハンドオーバが許可される場合しか意義がない。ハンドオーバが拒絶される場合にも、このゼロ個の基地局のリストに基づいて、これらのフィールドがＭＯＢ＿ＢＳＨＯ−ＲＳＰメッセージに含まれば、これらのメッセージフィールドはエアインターフェースの帯域幅の浪費につながる。他の例として、基地局がこのゼロ個の基地局のリストを含むＭＯＢ＿ＢＳＨＯ−ＲＳＰメッセージを受信した後、移動局はこのゼロ個の基地局のリストがハンドオーバの拒絶を示唆することを知らない可能性がある。逆に、移動局はこのゼロ個の基地局のリストをデータ破損として認める可能性があり、従ってＭＯＢ＿ＭＳＨＯ−ＲＥＱメッセージを再送する。  
【００２６】
図１０は本発明の実施例による無線ネットワークにおける移動局ハンドオーバの簡略化方法である。この図は一例だけであり、本発明の特許請求の範囲に対する制限とは認められないべきである。当業者は多種の変更、切替及び修正を認識することができる。方法１０００は、第１ハンドオーバ要求を送信するステップ１０１０と、第２ハンドオーバ要求を受信するステップ１０２０と、第２ハンドオーバ要求の１つまたは複数の特徴を決定するステップ１０３０と、第２ハンドオーバ要求に応答するステップ１０４０と、第２ハンドオーバ要求を無視するステップ１０５０とを含む。上述は方法１０００の一組のステップで表されるが、それに各種の切替、修正及び変更を行ってもよい。例えば、一部ステップの拡張及び/又は合併を行ってもよいし、上述したステップに他のステップを挿入してもよい。本実施例に基づいて、ステップの順が互いに替わってもよい。一例として、方法１０００の一部または全部のステップは、１つまたは複数のコードにより制御された１つもしくは複数のプロセッサまたは１つもしくは複数のコンピュータにより実行される。他の例として、１つまたは複数のコンピュータプログラム製品の１つまたは複数のコンピュータ読み取り可能な媒体に含まれる命令に基づいて、方法１０００の一部または全部のステップを実行する。他の例として、無線ネットワークはＷｉＭＡＸネットワークである。本明細書、特に以下は、これらのステップについてさらに詳しく説明する。  
【００２７】
ステップ１０１０において、第１ハンドオーバ要求が基地局から移動局に送信される。一例として、基地局は、基地局の提供したエアインターフェースを介して、移動局と通信することができる。他の例として、第１要求メッセージを送信することにより第１ハンドオーバ要求を送信し、第１ハンドオーバ要求はまた移動局のハンドオーバ可能な基地局のリストを含む。  
【００２８】
ステップ１０２０において、基地局は移動局から第２ハンドオーバ要求を受信する。例えば、第２要求メッセージを送信することにより、指示子を含む第２ハンドオーバ要求は送信される。当該指示子は、第２ハンドオーバ要求が他のハンドオーバ要求に応答するために送信されたものであるかどうかを示す。一例として、当該他のハンドオーバ要求は移動局により受信された第１ハンドオーバ要求である。他の例として、第２要求メッセージは移動局の他のハンドオーバ可能な基地局のリストを含む。  
【００２９】
ステップ１０３０において、基地局は第２ハンドオーバ要求の１つまたは複数の特徴を決定する。例えば、基地局は、第２要求メッセージの指示子に関する情報を処理し、かつ、第２ハンドオーバ要求が他のハンドオーバ要求に応答するために送信されたものであるかどうかを決定する。第２ハンドオーバ要求が他のハンドオーバ要求に応答するために送信されたものであると決定された場合、ステップ１０４０を実行する。第２ハンドオーバ要求が他のハンドオーバ要求に応答するために送信されたものではないと決定された場合、ステップ１０５０を実行する。  
【００３０】
ステップ１０４０において、基地局は第２ハンドオーバ要求に関する情報に基づいてハンドオーバ応答を送信する。一例として、第２ハンドオーバ要求は、移動局の好ましいハンドオーバ配置を含み、応答としてのハンドオーバ応答は、第１ハンドオーバ要求により提供されたハンドオーバ配置と異なるハンドオーバ配置を含む。他の例として、応答メッセージを送信することによりハンドオーバ応答を送信する。ステップ１０５０において、基地局は第２ハンドオーバ要求を無視する。  
【００３１】
上述したようであり、ここでさらに強調するのは、図１０は一例だけであって、本発明の特許請求の範囲に対する制限とは認められないべきである。例えば、ステップ１０４０の後、移動局はハンドオーバ応答を受信する。そして、移動局は確認メッセージ、またはステップ１０２０に説明したようなハンドオーバ要求を送信する。例えば、当該確認メッセージは、ハンドオーバ応答によって要求されたハンドオーバを移動局が受け入れるかまたは拒絶するかを指示する。  
【００３２】
図１１は本発明の実施例による方法１０００の一例を示す簡略図である。この図は一例だけであり、本発明の特許請求の範囲に対する制限とは認められないべきである。当業者は多種の変更、切替及び修正を認識することができる。ステップ１０１０において、基地局は第１要求メッセージによって第１ハンドオーバ要求を移動局に送信する。例えば、第１要求メッセージは、ＭＯＢ＿ＢＳＨＯ−ＲＥＱと呼ばれる。ステップ１０２０において、基地局は移動局から第２要求メッセージによって送信された第２ハンドオーバ要求を受信する。例えば、第２要求メッセージは、ＭＯＢ＿ＭＳＨＯ−ＲＥＱと呼ばれる。第２要求メッセージは、第２ハンドオーバ要求が第１ハンドオーバ要求に応答するために送信されたものであるかどうかを示す指示子を含む。ステップ１０３０において、基地局は、指示子に関する情報を処理し、かつ、第２ハンドオーバ要求が第１ハンドオーバ要求に応答するために送信されたものであることを決定する。ステップ１０４０において、基地局は第２ハンドオーバ要求に関する情報に基づいてハンドオーバ応答を移動局に送信する。例えば、ＭＯＢ＿ＢＳＨＯ−ＲＳＰと呼ばれる応答メッセージを送信することによりハンドオーバ応答を送信する。移動局はハンドオーバ応答を受信して確認メッセージを送信する。一例として、確認メッセージがＭＯＢ＿ＨＯ−ＩＮＤと呼ばれる。他の例として、確認メッセージは、ハンドオーバ応答によって要求されたハンドオーバを移動局が受け入れるかまたは拒絶するかを指示する。  
【００３３】
方法１０００は多種の応用がある。例えば、ステップ１０１０の後、移動局は第１ハンドオーバ要求を受信する。応答として、移動局は確認メッセージまたは第２ハンドオーバ要求を送信する。一例として、移動局がハンドオーバを期待しているが、第１ハンドオーバ要求におけるハンドオーバ配置を満足しない場合、移動局は第２ハンドオーバ要求を送信する。ある実施例において、第２要求メッセージを送信することにより指示子を含む第２ハンドオーバ要求を送信する。当該指示子は、第２ハンドオーバ要求が第１ハンドオーバ要求のような他のハンドオーバ要求に応答するために送信されたものであることを示す。他の実施例において、ステップ１０２０に説明したように、第２ハンドオーバ要求は基地局により受信される。他の例として、確認メッセージは、移動局の第１ハンドオーバ要求を受け入れるかまたは拒絶するかを指示する。確認メッセージが移動局の第１ハンドオーバ要求を拒絶することを指示する場合、基地局は、確認メッセージを受信した後、例えば少なくとも所定時間の後、第１ハンドオーバ要求を捨てる。  
【００３４】
図１２は本発明の他の実施例による無線ネットワークにおける移動局ハンドオーバの簡略化方法である。この図は一例だけであり、本発明の特許請求の範囲に対する制限とは認められないべきである。当業者は多種の変更、切替及び修正を認識することができる。方法１２００は、第１ハンドオーバ応答を送信するステップ１２１０と、ハンドオーバ要求を受信するステップ１２２０と、ハンドオーバ要求の１つまたは複数の特徴を決定するステップ１２３０と、ハンドオーバ要求に応答するステップ１２４０と、ハンドオーバ要求を無視するステップ１２５０とを含む。上述は方法１２００の一組のステップで表されるが、それに各種の切替、修正及び変更を行ってもよい。例えば、一部ステップの拡張及び/又は合併を行ってもよいし、上述したステップに他のステップを挿入してもよい。本実施例に基づいて、ステップの順が互いに替わってもよい。一例として、方法１２００における一部または全部のステップは１つまたは複数のコードにより制御された１つもしくは複数のプロセッサまたは１つもしくは複数のコンピュータにより実行される。他の例として、１つまたは複数のコンピュータプログラム製品の１つまたは複数のコンピュータ読み取り可能な媒体に含まれる命令に基づいて、方法１２００の一部または全部のステップを実行する。他の例として、無線ネットワークはＷｉＭＡＸネットワークである。本明細書、特に以下はこれらのステップについてさらに詳しく説明する。
【００３５】
ステップ１２１０において、第１ハンドオーバ応答が基地局から移動局に送信される。一例として、基地局は、基地局の提供したエアインターフェースを介して、移動局と通信することができる。他の例として、移動局から受信したハンドオーバ要求に応答するために第１ハンドオーバ応答を送信する。他の例として、第１応答メッセージを送信することにより第１ハンドオーバ応答を送信し、第１ハンドオーバ応答はまた移動局のハンドオーバ可能な基地局のリストを含む。  
【００３６】
ステップ１２２０において、基地局は移動局からハンドオーバ要求を受信する。例えば、要求メッセージを送信することにより、指示子を含むハンドオーバ要求は送信される。当該指示子は、当該ハンドオーバ要求がハンドオーバ応答に応答するために送信されたものであるかどうかを示す。一例として、当該ハンドオーバ応答は移動局により受信された第１ハンドオーバ応答である。他の例として、当該要求メッセージは、移動局の他のハンドオーバ可能な基地局のリストを含む。
【００３７】
ステップ１２３０において、基地局はハンドオーバ要求の１つまたは複数の特徴を決定する。例えば、基地局は、要求メッセージ中の指示子に関する情報を処理し、かつ、当該ハンドオーバ要求がハンドオーバ応答に応答するために送信されたものであるかどうかを決定する。ハンドオーバ要求がハンドオーバ応答に応答するために送信されたものであると決定された場合、ステップ１２４０を実行する。ハンドオーバ要求がハンドオーバ応答に応答するために送信されたものではないと決定された場合、ステップ１２５０を実行する。  
【００３８】
ステップ１２４０において、基地局は、ハンドオーバ要求に関する情報に基づいて、第２ハンドオーバ応答を送信する。一例として、ハンドオーバ要求は移動局の好ましいハンドオーバ配置を含み、応答としての第２ハンドオーバ応答は、第１ハンドオーバ応答により提供されたハンドオーバ配置と異なるハンドオーバ配置を含む。他の例として、第２応答メッセージを送信することにより第２ハンドオーバ応答を送信する。ステップ１２５０において、基地局はハンドオーバ要求を無視する。  
【００３９】
上述したようであり、ここでさらに強調するのは、図１２は一例だけであって、本発明の特許請求の範囲に対する制限とは認められないべきである。例えば、ステップ１２４０の後、移動局は第２ハンドオーバ応答を受信する。そして、移動局は確認メッセージ、またはステップ１０２０に説明したようなハンドオーバ要求を送信する。例えば、当該確認メッセージは、第２ハンドオーバ応答によって要求されたハンドオーバを移動局が受け入れるかまたは拒絶するかを指示する。  
【００４０】
本発明の一部の実施例によれば、方法１０００では、ハンドオーバ要求が他のハンドオーバ要求に応答するために送信されたものであるかどうかを示す指示子を有するハンドオーバ要求が用いられる。本発明の一部の実施例によれば、方法１２００では、ハンドオーバ要求がハンドオーバ応答に応答するために送信されたものであるかどうかを示す指示子を有するハンドオーバ要求が用いられる。  
【００４１】
例えば、図１３のＡ、Ｂのそれぞれは、本発明の実施例による無線ネットワークにおける移動局ハンドオーバの少なくとも一部の要求メッセージを示す簡略図である。これらの図は例だけであり、本発明の特許請求の範囲に対する制限とは認められないべきである。当業者は多種の変更、切り替え及び修正を認識することができる。  
【００４２】
図１３のＡ、Ｂに示すように、要求メッセージ１３００は、ＭＳ  ＨＯ  ｒｅｑオペレーション（ｏｐｅｒａｔｉｏｎ）と呼ばれる指示変数を含む。一例として、ＭＳ  ＨＯ  ｒｅｑオペレーションを方法１０００及び/又は方法１２００の指示子とする。他の例として、ＭＳ  ＨＯ  ｒｅｑオペレーションは、当該ハンドオーバ要求が他のハンドオーバ要求及び/又はハンドオーバ応答に応答するために送信されたものであるかどうかを指示する１ビットのパラメータである。他の例として、ＭＳ  ＨＯ  ｒｅｑオペレーションが０と等しい場合、ハンドオーバ要求が他のハンドオーバ要求及び/又はハンドオーバ応答に応答するために送信されたものではない。ＭＳ  ＨＯ  ｒｅｑオペレーションが１と等しい場合、ハンドオーバ要求が他のハンドオーバ要求及び/又はハンドオーバ応答に応答するために送信されたものである。他の例として、要求メッセージ１３００は、ＭＯＢ＿ＭＳＨＯ−ＲＥＱと呼ばれる。  
【００４３】
図１４は本発明の他の実施例による無線ネットワークにおける移動局ハンドオーバの簡略化方法である。この図は一例だけであり、本発明の特許請求の範囲に対する制限とは認められないべきである。当業者は多種の変更、切替及び修正を認識することができる。方法１４００は、ハンドオーバ要求を送信するステップ１４１０と、拒絶指示子を有するハンドオーバ応答を受信するステップ１４２０と、拒絶モードでハンドオーバ応答を処理するステップ１４３０とを含む。上述は方法１４００の一組のステップで表されるが、それに各種の切替、修正及び変更を行ってもよい。例えば、一部ステップの拡張及び/又は合併を行ってもよいし、上述したステップに他のステップを挿入してもよい。本実施例に基づいて、ステップの順が互いに替わられることができる。一例として、方法１４００における一部または全部のステップは、１つまたは複数のコードにより制御された１つもしくは複数のプロセッサまたは１つもしくは複数のコンピュータにより実行される。他の例として、１つまたは複数のコンピュータプログラム製品の１つまたは複数のコンピュータ読み取り可能な媒体に含まれる命令に基づいて、方法１４００の一部または全部のステップを実行する。他の例として、無線ネットワークはＷｉＭＡＸネットワークである。本明細書、特に以下は、これらのステップについてさらに詳しく説明する。  
【００４４】
ステップ１４１０において、基地局は移動局からハンドオーバ要求を受信する。一例として、要求メッセージを送信することにより、ハンドオーバ要求は送信される。他の例として、要求メッセージは移動局のハンドオーバ可能な基地局のリストを含む。例えば、要求メッセージを送信することにより、方法１０００及び/又は方法１２００に説明したような指示子を含むハンドオーバ要求は送信される。当該指示子は、ハンドオーバ要求が他のハンドオーバ要求に応答するために送信されたものであるかどうかを示す。ある実施例において、当該指示子は、ハンドオーバ要求が他のハンドオーバ要求に応答するために送信されたものではないことを示す。  
【００４５】
ステップ１４２０において、移動局は基地局からハンドオーバ応答を受信する。例えば、応答メッセージを送信することにより、ハンドオーバ応答は送信される。ある実施例において、応答メッセージは拒絶指示子を含む。一例として、拒絶指示子は、基地局が移動局からのハンドオーバ要求を拒絶したかどうかを示す。他の例として、拒絶指示子は、またこのような拒絶の１つまたは複数の理由を示す。例えば、１つまたは複数の拒絶理由コードで１つまたは複数の拒絶理由を表す。他の実施例において、応答メッセージは定時指示子を含む。定時指示子は、受信したハンドオーバ応答に応答する前、移動局が待つべき時間長を指定する。例えば、時間長はゼロ秒と等しい。  
【００４６】
ステップ１４３０において、移動局はハンドオーバ応答を処理する。一例として、移動局は拒絶指示子に関する情報を処理する。ある実施例において、移動局は拒絶指示子に基づいて基地局が移動局からのハンドオーバ要求を拒絶したかどうかを決定する。他の実施例において、移動局はまたこのような拒絶の１つまたは複数の理由を決定する。他の例として、移動局は定時指示子に関する情報を処理する。他の実施例において、移動局は定時指示子に基づいて時間長を決定する。基地局がハンドオーバ要求を拒絶した場合、移動局は受信したハンドオーバ応答に応答する前、指示子により指定された時間長を待つ。例えば、移動局は確認メッセージ、またはハンドオーバ要求を含む要求メッセージを送信することにより、受信したハンドオーバ応答に応答する。ある実施例において、確認メッセージは、ＭＯＢ＿ＨＯ−ＩＮＤと呼ばれる。他の実施例において、要求メッセージは、ＭＯＢ＿ＭＳＨＯ−ＲＥＱと呼ばれる。  
【００４７】
一例として、図１５は本発明の他の実施例による無線ネットワークにおける移動局ハンドオーバの少なくとも一部の要求メッセージを示す簡略図である。この図は一例だけであり、本発明の特許請求の範囲に対する制限とは認められないべきである。当業者は多種の変更、ハンドオーバ及び修正を認識することができる。  
【００４８】
図１５に示すように、要求メッセージ１５００は「モード（Ｍｏｄｅ）」と呼ばれる変数を含む。ある実施例において、モード変数を方法１４００の拒絶指示子とする。例えば、モード変数は３ビットのパラメータである。モード変数が２進数１１１と等しい場合、基地局が移動局からのハンドオーバ要求を拒絶したことを表す。他の実施例において、図１５に示すように、０ｂ１１１で拒絶を表し、即ち、ＭＳハンドオーバ要求が推奨されないことを表す（リストにおけるＢＳが使用不可である）。  
【００４９】
他の実施例において、要求メッセージ１５００は「動作時間（Ａｃｔｉｏｎ  ｔｉｍｅ）」と呼ばれる変数を含む。ある実施例において、動作時間変数を方法１４００の定時指示子とする。例えば、動作時間変数は８ビットのパラメータである。他の実施例において、要求メッセージ１５００は、ＭＯＢ＿ＢＳＨＯ−ＲＳＰと呼ばれる。  
【００５０】
本発明の他の実施例によれば、無線ネットワークにおいてハンドオーバ要求を処理する方法は、第１基地局が第１メッセージを移動局に送信することを含む。前記第１メッセージは第１ハンドオーバ要求を含む。また、当該方法は前記第１基地局が前記移動局から第２メッセージを受信することを含む。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該方法は、前記第１基地局が前記第２メッセージに関する情報を処理し、かつ、少なくとも前記第２メッセージに関する情報に基づいて、前記第２メッセージが前記第３ハンドオーバ要求に応答するために前記移動局から送信されたものであるかどうかを決定することを含む。当該方法は、前記第２メッセージが前記第３ハンドオーバ要求に応答するために前記移動局から送信されたものであると決定された場合、前記第２メッセージに関する移動局に第３メッセージを送信することをさらに含む。前記第３メッセージは第１ハンドオーバ応答を含む。前記第１ハンドオーバ応答は、少なくとも１つの第２基地局に関する情報を含み、前記第２基地局は、前記移動局の要求された、前記第１基地局からのハンドオーバ先である。例えば、図１０に従って当該方法を実現する。他の実施例において、第１メッセージには第１ハンドオーバ要求の代わりにハンドオーバ応答が含まれ、図１２に従ってハンドオーバ応答に関する方法を実現する。  
【００５１】
本発明の他の実施例によれば、無線ネットワークにおける基地局はハンドオーバ要求を処理する１つまたは複数の部材を含む。当該１つまたは複数の部材は第１メッセージを移動局に送信するように構成される。前記第１メッセージは第１ハンドオーバ要求を含む。また、当該１つまたは複数の部材はさらに前記移動局からの第２メッセージを受信するように構成される。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該１つまたは複数の部材はさらに、前記第２メッセージに関する情報を処理し、かつ、少なくとも前記第２メッセージに関する情報に基づいて、前記第２メッセージが前記第３ハンドオーバ要求に応答するために前記移動局から送信されたものであるかどうかを決定するように構成される。また、当該１つまたは複数の部材はさらに、前記第２メッセージが前記第３ハンドオーバ要求に応答するために前記移動局から送信されたものであると決定された場合、前記第２メッセージに関する移動局に第３メッセージを送信するように構成される。前記第３メッセージはハンドオーバ応答を含む。前記ハンドオーバ応答は、少なくとも１つの他の基地局に関する情報を含み、前記他の基地局は、前記移動局の要求された、現在の基地局からのハンドオーバ先である。一例として、基地局は図１０に従って実行してもよい。他の例として、第１メッセージには第１ハンドオーバ要求の代わりにハンドオーバ応答が含まれ、基地局は図１２に従ってハンドオーバ応答を処理する。  
【００５２】
本発明の他の実施例によれば、無線ネットワークにおいてハンドオーバ要求を処理する方法は、移動局が第１基地局から第１メッセージを受信することを含む。前記第１メッセージは第１ハンドオーバ要求を含む。また、当該方法は、前記移動局が第２メッセージを前記第１基地局に送信することを含む。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該方法は、前記移動局が前記第２メッセージに応答するための第３メッセージを受信することを含む。前記第３メッセージはハンドオーバ応答を含む。前記ハンドオーバ応答は、少なくとも１つの第２基地局に関する情報を含み、前記第２基地局は、前記移動局の要求された、前記第１基地局からのハンドオーバ先である。一例として、図１０に従って当該方法を実現する。他の例として、第１メッセージには第１ハンドオーバ要求の代わりにハンドオーバ応答が含まれ、図１２に従ってハンドオーバ応答に関する方法を実現する。
【００５３】
本発明の他の実施例によれば、無線ネットワークにおける移動局は、ハンドオーバ要求を処理する１つまたは複数の部材を含む。当該１つまたは複数の部材は、第１基地局から第１メッセージを受信するように構成される。前記第１メッセージは第１ハンドオーバ要求を含む。また、当該１つまたは複数の部材は、第２メッセージを前記第１基地局に送信するように構成される。前記第２メッセージは第２ハンドオーバ要求を含み、前記第２ハンドオーバ要求は、前記第２メッセージが第３ハンドオーバ要求に応答するために前記移動局から送信されたものであるかどうかを指示する指示子を含む。また、当該１つまたは複数の部材はさらに、前記第２メッセージに応答するための第３メッセージを受信するように構成される。前記第３メッセージはハンドオーバ応答を含む。前記ハンドオーバ応答は、少なくとも１つの第２基地局に関する情報を含み、前記第２基地局は、前記移動局の要求された、前記第１基地局からのハンドオーバ先である。一例として、移動局は図１０に従って実行してもよい。他の例として、第１メッセージには第１ハンドオーバ要求の代わりにハンドオーバ応答が含まれ、移動局は図１２に従ってハンドオーバ応答を処理する。  
【００５４】
本発明の他の実施例によれば、無線ネットワークにおいてハンドオーバ要求を処理する方法は、移動局が第１メッセージを基地局に送信することを含む。前記第１メッセージは第１ハンドオーバ要求を含む。また、当該方法は、前記移動局が前記基地局から第２メッセージを受信することを含む。前記第２メッセージはハンドオーバ応答を含み、前記ハンドオーバ応答は、前記基地局が前記第１ハンドオーバ要求を拒絶したかどうかを指示する第１指示子を含む。また、当該方法は、少なくとも前記第１指示子に関する情報を処理し、かつ、少なくとも前記第１指示子に関する情報に基づいて、前記基地局が前記第１ハンドオーバ要求を拒絶したかどうかを決定することを含む。前記第１指示子は、少なくとも第１数値または第２数値と等しいことができる指示変数を含む。前記指示変数が前記第１数値と等しい場合、前記基地局が前記第１ハンドオーバ要求を拒絶したことになる。例えば、図１４に従って当該方法を実現する。  
【００５５】
本発明の他の実施例によれば、無線ネットワークにおける移動局は、ハンドオーバ要求を処理する１つまたは複数の部材を含む。当該１つまたは複数の部材は、第１メッセージを基地局に送信するように構成される。前記第１メッセージは第１ハンドオーバ要求を含む。また、当該１つまたは複数の部材はさらに前記基地局から第２メッセージを受信するように構成される。前記第２メッセージはハンドオーバ応答を含み、前記ハンドオーバ応答は、前記基地局が前記第１ハンドオーバ要求を拒絶したかどうかを指示する第１指示子を含む。また、当該１つまたは複数の部材は、少なくとも前記第１指示子に関する情報を処理し、かつ、少なくとも前記第１指示子に関する情報に基づいて、前記基地局が前記第１ハンドオーバ要求を拒絶したかどうかを決定するように構成される。前記第１指示子は、少なくとも第１数値または第２数値と等しいことができる指示変数を含む。前記指示変数が前記第１数値と等しい場合、前記基地局が前記第１ハンドオーバ要求を拒絶したことになる。例えば、移動局は図１４に従って実行してもよい。  
【００５６】
本発明は多くのメリットを有する。本発明の一部の実施例では、ハンドオーバネゴシエーション過程を最適化したりすることにより、ハンドオーバ過程を改善している。本発明の一部の実施例では、移動局から基地局への要求メッセージを提供しており、要求メッセージは当該要求メッセージが基地局からの他のハンドオーバ要求に応答するために伝送されたものであるかどうかを指示する。例えば、このような指示によっては、やり取り必要のメッセージ数を減少することができ、かつハンドオーバネゴシエーション過程を簡略化できる。本発明の一部の実施例によってはハンドオーバネゴシエーション過程を短縮することができる。本発明の一部の実施例によってはハンドオーバネゴシエーションにおけるミスコミュニケーションを減少することができる。本発明の一部の実施例によっては、過程を簡略化することができ、かつ、移動局からのハンドオーバ要求を拒絶することにより基地局の帯域幅を節約することができる。本発明の一部の実施例では、移動局からのハンドオーバ要求に応答する基地局からのハンドオーバ応答において、拒絶モードと拒絶理由コードを採用している。
【００５７】
以上は本発明の特定の実施例を説明したが、当業者にとっては前記実施例と等価の他の実施例が存在することが理解できる。従って、本発明が特定の前記実施例に制限されず、その範囲が添付の特許請求の範囲であることは理解できる。
【図面の簡単な説明】
【００５８】
【図１】簡略化された従来の無線ネットワークを示す。
【図２】従来の無線ネットワークにおいて基地局により開始される移動局ハンドオーバを示す簡略図である。
【図３】従来の無線ネットワークにおいて基地局により開始される移動局ハンドオーバを示す簡略図である。
【図４】従来の無線ネットワークにおいて移動局により開始される移動局ハンドオーバを示す簡略図である。
【図５】従来のハンドオーバの要求メッセージと応答メッセージの一部の簡略化されたフォーマットを示す。
【図６】従来のハンドオーバの要求メッセージと応答メッセージの一部の簡略化されたフォーマットを示す。
【図７】冗長なハンドオーバネゴシエーションを示す簡略図である。
【図８】不必要メッセージのやり取りを示す簡略図である。
【図９】ハンドオーバネゴシエーションにおけるミスコミュニケーションを示す簡略図である。
【図１０】本発明の実施例による無線ネットワークにおける移動局ハンドオーバの簡略化方法である。
【図１１】本発明の実施例による方法１０００を示す簡略図である。
【図１２】本発明の他の実施例による無線ネットワークにおける移動局ハンドオーバの簡略化方法である。
【図１３Ａ】本発明の実施例による無線ネットワークにおける移動局ハンドオーバの少なくとも一部の要求メッセージを示す簡略図である。
【図１３Ｂ】本発明の実施例による無線ネットワークにおける移動局ハンドオーバの少なくとも一部の要求メッセージを示す簡略図である。
【図１４】本発明の他の実施例による無線ネットワークにおける移動局ハンドオーバの簡略化方法である。
【図１５】本発明の他の実施例による無線ネットワークにおける移動局ハンドオーバの少なくとも一部の要求メッセージを示す簡略図である。
【符号の説明】
【００５９】
１００  ネットワーク
１１０、１１２、１１４  基地局ＢＳ
１２０  移動局ＭＳ
【図１】
2009500972.tif 000003
【図２】
2009500972.tif 000004
【図３】
2009500972.tif 000005
【図４】
2009500972.tif 000006
【図５】
2009500972.tif 000007
【図６】
2009500972.tif 000008
【図７】
2009500972.tif 000009
【図８】
2009500972.tif 000010
【図９】
2009500972.tif 000011
【図１０】
2009500972.tif 000012
【図１１】
2009500972.tif 000013
【図１２】
2009500972.tif 000014
【図１３Ａ】
2009500972.tif 000015
【図１３Ｂ】
2009500972.tif 000016
【図１４】
2009500972.tif 000017
【図１５】
2009500972.tif 000018
【国際調査報告】
2009500972.tif 000019
2009500972.tif 000020
2009500972.tif 000021